(57)【要約】      （修正有）【課題】肌荒れを起こすことや付け心地が悪化することを回避することができる防塵マスク用カバーを提供する。【解決手段】外周縁が顔面に接触して口及び鼻を覆うマスク本体と、マスク本体内に外気を濾過して取り入れるための外気取り入れ部４，４と、使用者から吐き出される呼気をマスク本体外へ排出するための排気部５とを備えた防塵マスク２に着脱自在に装着され、伸縮性及び通気性並びに吸水性を有し、かつ、基端部８Ｂが開放され先端部８Ａが閉じられた有底筒状の部材８から構成される。先端部をマスク本体内に挿入した状態で基端部を外側に折り返してマスク本体の外周縁に抱き付かせることによりマスク本体に装着する。部材は、メッシュ状生地からなり、先端部が基端部よりも高い通気性を有する。また部材は、速乾性の材料から構成されているのが好ましい。【選択図】図４
0003188781.tif 000002
【実用新案登録請求の範囲】
【請求項１】
外周縁が顔面に接触して口及び鼻を覆うマスク本体と、マスク本体内に外気を濾過して取り入れるための外気取り入れ部と、使用者から吐き出される呼気をマスク本体外へ排出するための排気部とを備えた防塵マスクに着脱自在に装着され、
伸縮性及び通気性並びに吸水性を有し、かつ、基端部が開放され先端部が閉じられた有底筒状の部材から構成され、先端部を前記マスク本体内に挿入した状態で基端部を外側に折り返して該マスク本体の外周縁に抱き付かせることにより前記部材を該マスク本体に装着することを特徴とする防塵マスク用カバー。
【請求項２】
前記部材が、メッシュ状生地からなり、該メッシュ状生地の先端側部分が、基端側部分よりも高い通気性を有するように構成されていることを特徴とする請求項１に記載の防塵マスク用カバー。
【請求項３】
前記部材が、速乾性を有する材料から構成されていることを特徴とする請求項１又は２に記載の防塵マスク用カバー。
【考案の詳細な説明】
【技術分野】
【０００１】
本考案は、防塵マスクに装着して使用するための防塵マスク用カバーに関する。
【背景技術】
【０００２】
上記防塵マスクは、外周縁が顔面に接触して口及び鼻を覆うマスク本体と、マスク本体内に外気を濾過して取り入れるための外気取り入れ部と、使用者から吐き出される呼気をマスク本体外へ排出するための排気部とを備えている（例えば、特許文献１参照）。
【先行技術文献】
【特許文献】
【０００３】
【特許文献１】特開平１０−２８７４４号公報
【考案の概要】
【考案が解決しようとする課題】
【０００４】
前記マスク本体の外周縁が、合成ゴムから構成されているため、顔面にマスク本体の外周縁が長時間接触していると、使用者によっては肌荒れを起こす場合があった。また、夏場等の高温時に、防塵マスクを装着していると、使用者の汗がマスク本体の外周縁に付着した状態となり、付け心地が悪く、改善の余地があった。
【０００５】
そこで、本考案は、かかる事情に鑑みてなされたもので、肌荒れを起こすことや付け心地が悪化することを回避することができる防塵マスク用カバーを提供することを課題とする。
【課題を解決するための手段】
【０００６】
本考案に係る防塵マスク用カバーは、外周縁が顔面に接触して口及び鼻を覆うマスク本体と、マスク本体内に外気を濾過して取り入れるための外気取り入れ部と、使用者から吐き出される呼気をマスク本体外へ排出するための排気部とを備えた防塵マスクに着脱自在に装着され、伸縮性及び通気性並びに吸水性を有し、かつ、基端部が開放され先端部が閉じられた有底筒状の部材から構成され、先端部を前記マスク本体内に挿入した状態で基端部を外側に折り返して該マスク本体の外周縁に抱き付かせることにより前記部材を該マスク本体に装着することを特徴としている。
【０００７】
本考案によれば、先端部をマスク本体内に挿入した状態で基端部を外側に折り返してマスク本体の外周縁に抱き付かせることによって、部材をマスク本体に装着することができる。部材が装着された防塵マスクを使用者が装着すると、顔面に、マスク本体の外周縁が直に接触することがなく、部材が接触する。この部材は、通気性を有しているため、部材が装着された防塵マスクの使用時において、使用者が呼吸し難いといったことがない。また、使用者の汗や唾液などが部材に吸い取られることによって、付け心地が悪くなることを回避することができるだけでなく、使用者の汗や唾液などを先端部が閉じられた部材内に閉じ込めることができる。
【０００８】
また、本考案に係る防塵マスク用カバーは、前記部材が、メッシュ状生地からなり、該メッシュ状生地の先端側部分を基端側部分よりも高い通気性を有するように構成されていてもよい。
【０００９】
上記のように、メッシュ状生地の先端側部分が、基端側部分よりも高い通気性を有するように構成されていれば、基端側部分からの粉塵等の進入を確実に阻止することができながらも、高い通気性を有する先端側部分から使用者はスムーズな呼吸を行うことができる。
【００１０】
また、本考案に係る防塵マスク用カバーは、前記部材が、速乾性を有する材料から構成されていてもよい。
【００１１】
上記のように、部材が、速乾性を有する材料から構成されていれば、部材に吸い取った使用者の汗や唾液などを直ちに乾かすことができ、常に快適に使用することができる。
【考案の効果】
【００１２】
以上の如く、本考案によれば、先端部をマスク本体内に挿入した状態で基端部を外側に折り返してマスク本体の外周縁に抱き付かせることにより部材をマスク本体に装着するだけで、肌荒れを起こすことや付け心地が悪化することを回避することができる防塵マスク用カバーを提供することができる。
【図面の簡単な説明】
【００１３】
【図１】防塵マスクの斜視図である。
【図２】防塵マスクの背面図である。
【図３】防塵マスク用カバーを装着した状態の防塵マスクの斜視図である。
【図４】防塵マスク用カバーを装着した状態の防塵マスクの背面図である。
【図５】防塵マスク用カバーを示し、（ａ）は側面図、（ｂ）は背面図である。
【考案を実施するための形態】
【００１４】
以下、本考案に係る防塵マスク用カバーの一実施形態について、図面に基づいて説明する。
【００１５】
まず、図１及び図２に、防塵マスク用カバー１（図３〜図５参照）を装着する防塵マスク２を示している。防塵マスク２は、外周縁３Ａが顔面に接触して口及び鼻を覆うマスク本体３と、マスク本体３内に外気を濾過して取り入れるための左右一対の外気取り入れ部４，４と、使用者から吐き出される呼気（息）をマスク本体３外へ排出するための排気部５と、マスク本体３を装着した状態に固定するための締め付けバンド６とを備えている。締め付けバンド６は、マスク本体３に備えているめがね型の取付部材７に取り付けられている。
【００１６】
マスク本体３は、使用者の顔面に密着するように可撓性を有する合成ゴムで構成され、後方が開放されるとともに、正面視において略三角形状（おにぎり形状）に構成されている。そして、後端部が内側に円弧状に湾曲した外周縁３Ａを備えている、この外周縁３Ａの下側で左右中央部に、小さな開口３ａが形成されている。
【００１７】
各外気取り入れ部４は、外気を濾過するフィルター（図示せず）が収納されているケース本体４Ａと、このケース本体４Ａへ外気を取り入れるための外気取り入れ口４ｂが中央に形成されたキャップ４Ｂとを備えている。また、各外気取り入れ部４の後端には、使用者の吸気により開放する吸気弁４Ｃが取り付けられ、この吸気弁４Ｃがマスク本体３内に連通した状態になっている。
【００１８】
排気部５は、マスク本体３の下端に取り付けられ、マスク本体３内に連通される排気弁（図示せず）を収納したケース５Ａと、このケース５Ａの下端に形成された排気孔５Ｂとを備えている。排気弁は、使用者の呼気に伴って開放されて外部へ呼気を排出するようになっている。
【００１９】
上記のように構成された防塵マスクは、防塵マスク用カバー１を取り付けて使用する。この防塵マスク用カバー１は、図５（ａ），（ｂ）に示すように、基端部が開放され先端部が閉じられた有底筒状の部材８から構成されている。この部材８は、図５（ａ）の側面視において長方形状に構成されている。また、部材８は、伸縮性及び通気性並びに吸水性の他に、速乾性を有する材料から構成されている。さらにまた、部材８は、抗菌剤が塗り込まれている。尚、図５（ｂ）では、防塵マスク用カバー１の内部を見せるために防塵マスク用カバー１を楕円状に広げた状態で描いている。また、部材８の開放端８Ｋの周長は、マスク本体３の外周縁３Ａの周長よりも短くして設定されている。
【００２０】
また、部材８は、通気性を有するためにメッシュ状生地からなり、メッシュ状生地の先端側部分が、基端側部分よりも高い通気性を有するように構成されている。詳述すれば、太い糸９で閉じられた先端８Ｓから少し基端側に寄った第１位置８１までの第１領域８Ａと、第１位置８１から基端側へ所定距離寄った第２位置（長手方向半分よりも少し先端側に寄った位置）８２までの第２領域８Ｂと、第２位置８２から太い糸１０を備えた開放端８Ｋまでの第３領域８Ｃとを備え、第２領域８Ｂの網目の大きさを第１領域８Ａ及び第３領域８Ｃの網目の大きさよりも大きくしている。その結果、第２領域８Ｂを第１領域８Ａ及び第３領域８Ｃよりも高い通気性を有するように構成されている。
【００２１】
防塵マスク用カバー１を防塵マスク２に装着するには、部材８の先端部８ａをマスク本体３内に挿入した状態で部材８の基端部８ｂを外側に折り返してマスク本体３の外周縁３Ａに伸ばしながら抱き付かせる。これによって、基端部８ｂが元に戻ろうとする力を利用することで、図３及び図４に示すように、部材８がマスク本体３に装着された状態を維持することができる。
【００２２】
前記のように、部材８が装着された防塵マスク２を使用者が装着すると、顔面に、マスク本体３の外周縁３Ａが直に接触することがなく、部材８が接触する。この部材８は、通気性を有しているため、部材８が装着された防塵マスク２の使用時において、使用者が呼吸し難いといったことがない。また、使用者の汗や唾液などが部材８に吸い取られることによって、付け心地が悪くなることを回避することができるだけでなく、使用者の汗や唾液などを先端部８ａが閉じられた部材８内に閉じ込めることができる。
【００２３】
また、メッシュ状生地の先端側部分である第２領域８Ｂが、基端側部分である第３領域８Ｃよりも高い通気性を有するように構成されていれば、基端側部分８Ｃからの粉塵等の進入を確実に阻止することができながらも、高い通気性を有する先端側部分８Ｂから使用者はスムーズな呼吸を行うことができる。
【００２４】
更に、部材８が、速乾性を有する材料から構成されていれば、部材８に吸い取った使用者の汗や唾液などを直ちに乾かすことができ、防塵マスクを常に快適に使用することができる。
【００２５】
尚、本考案は、前記実施形態に限定されるものではなく、本考案の要旨を逸脱しない範囲で種々の変更が可能である。
【００２６】
前記実施形態では、防塵マスク用カバーを側面視において長方形状に構成したが、正方形状、楕円形状、三角形状の他、どのような形状であってもよい。
【００２７】
また、前記実施形態では、部材８が、メッシュ状生地からなり、メッシュ状生地の先端側部分８Ｂが、基端側部分８Ｃよりも高い通気性を有するように構成されていたが、どの部分においても高い通気性を有するメッシュ状生地から構成してもよい。
【００２８】
また、前記実施形態では、２個の外気取り入れ部４，４を備えた防塵マスク２に防塵マスク用カバー１を装着したが、１個又は３個以上の外気取り入れ部を備えた防塵マスクに防塵マスク用カバー１を装着してもよい。
【００２９】
また、前記実施形態では、１個の排気部５を備えた防塵マスクに防塵マスク用カバー１を装着したが、２個以上の排気部を備えた防塵マスクに防塵マスク用カバー１を装着してもよい。
【００３０】
また、前記実施形態では、筒状に編み込んだ円筒状部材の一端を１本の糸９で単に閉じることによって、防塵マスク用カバー１を構成したが、筒状に編み込んだ円筒状部材の一端に、円形状に編み込んで構成された別の底部の外周縁を連結して構成してもよい。
【符号の説明】
【００３１】
１…防塵マスク用カバー、２…防塵マスク、３…マスク本体、３Ａ…外周縁、３ａ…開口、４…外気取り入れ部、４Ａ…ケース本体、４Ｂ…キャップ、４Ｃ…吸気弁、４ｂ…外気取り入れ口、５…排気部、５Ａ…ケース、５Ｂ…排気孔、６…締め付けバンド、７…取付部材、８…部材、８Ａ…第１領域、８Ｂ…第２領域（先端側部分）、８Ｃ…第３領域（基端側部分）、８Ｋ…開放端、８Ｓ…先端、８ａ…先端部、８ｂ…基端部、９，１０…糸
【図１】
0003188781.tif 000003
【図２】
0003188781.tif 000004
【図３】
0003188781.tif 000005
【図４】
0003188781.tif 000006
【図５】
0003188781.tif 000007